(57)【特許請求の範囲】
【請求項１】
生体から取り出した血液の浄化を行う血液浄化装置であって、
体外循環回路と、前記体外循環回路に設けられた血液浄化部と、前記血液浄化部に透析液を供給するための第１の流路と、前記体外循環回路に補液を供給するための第２の流路と、前記血液浄化部からの濾液を排出するための第３の流路と、測定部と、流路切替部とを備え、
前記流路切替部は、前記第１の流路、前記第２の流路及び前記第３の流路の中から選択された少なくとも一つの流路を流れる液を前記測定部に導き、
前記測定部は、選択された流路を流れる液の流量を測定することを特徴とする血液浄化装置。
【請求項２】
時間計測部と、演算部とを更に備え、
前記測定部が、前記選択された流路から導かれた液を貯留する容器を備え、
前記時間計測部が、前記選択された流路から導かれた液が前記容器に一定量貯留されるまでの時間、または前記容器に貯留された液が一定量排出されるまでの時間を測定し、
前記演算部が、前記容器に貯留された液の液量または前記容器から排出された液の液量を、前記時間計測部によって測定された時間で除算して、前記測定部に接続された流路を流れる液の流量を算出する請求項１に記載の血液浄化装置。
【請求項３】
前記流路切替部が、前記第１の流路、前記第２の流路及び前記第３の流路のうち一つの流路を順次選択する請求項１または２に記載の血液浄化装置。
【請求項４】
前記流路切替部が、前記第１の流路と前記第２の流路とを同時に選択する請求項１または２に記載の血液浄化装置。
【請求項５】
前記第１の流路に設けられた透析液ポンプと、前記第２の流路に設けられた補液ポンプと、前記第３の流路に設けられた濾液ポンプと、制御部とを更に備え、
前記制御部は、前記演算部が算出した流量に基づいて、前記選択された流路に設けられたポンプの吐出量を調整する請求項２に記載の血液浄化装置。
【発明の詳細な説明】
【技術分野】
【０００１】
本発明は、血液浄化療法、特には持続的腎補助療法（CRRT：Continuous Renal Replacement Therapy）に用いられる血液浄化装置に関する。
【背景技術】
【０００２】
血液浄化療法、特に持続的腎補助療法では、２４時間以上の長時間にわたり血液浄化が施行される。また、血液浄化療法では、血液透析、血液透析濾過、及び血液濾過が主に実施されており、透析液、補液、及び濾液それぞれの流量の測定精度が非常に重要となる。
【０００３】
例えば、従来においては、透析液ポンプ及び補液ポンプの流量設定値が、それぞれ透析液及び補液それぞれの流量として用いられている。また、血液浄化器から排出された排液の流量をメスシリンダで測定し、測定値から、上記の透析液流量を差し引いて得られた値が、濾液の流量として用いられている。
【０００４】
但し、透析液回路、補液回路及び濾液回路を構成するチューブには、径のばらつきがある。また、透析液ポンプ及び補液ポンプとして、ローラポンプが用いられる場合は、チューブ内に生じた圧力変動によってチューブの断面積が変動する。このため、実際の流量とポンプの流量設定値との間には、１０％程度の誤差が生じてしまう可能性がある。例えば、治療が２４時間継続されたときであれば、数リットルの水分過負荷が生じてしまう可能性があるため、患者の状態に適応した処置が取れない恐れがある。
【０００５】
このような問題を解決するため、例えば、特許文献１は、透析液回路、補液回路及び濾液回路に個別に計測装置が設置され、各計測装置によって、透析液流量、補液流量及び濾液流量を個別に独立して実測する血液浄化装置を開示している。特許文献１に開示された血液浄化装置においては、各計測装置によって実測された実測値と各ポンプの流量設定値とが合致するように、各ポンプの回転数が調整される。このため、透析液流量、補液流量、及び濾液流量それぞれの測定誤差は、１％未満に抑えられる。
【特許文献１】特許第３１８０３０９号公報
【発明の開示】
【発明が解決しようとする課題】
【０００６】
しかしながら、上述の血液浄化装置においては、透析液回路、補液回路及び濾液回路に個別に計測装置を設置する必要がある。このため、各回路や装置の構成が複雑になり、コストが増加してしまう。
【０００７】
また、計測装置それぞれにも誤差があり、更に誤差は計測装置毎に異なる。このため、各計測装置の計測値に基づいて血液浄化装置全体の制御を行う場合に、制御に狂いが生じ易いという問題がある。更に、計測装置それぞれについて誤差を補正するのは煩雑であるため、誤差を補正しようとすると、救命救急時といった緊急時において準備に時間がかかってしまう。
【０００８】
本発明の目的は、上記問題を解消し、計測誤差を抑制でき、且つ、構成の簡略化によりコストの低減化を図り得る血液浄化装置を提供することにある。
【課題を解決するための手段】
【０００９】
上記目的を達成するために本発明における血液浄化装置は、生体から取り出した血液の浄化を行う血液浄化装置であって、体外循環回路と、前記体外循環回路に設けられた血液浄化部と、前記血液浄化部に透析液を供給するための第１の流路と、前記体外循環回路に補液を供給するための第２の流路と、前記血液浄化部からの濾液を排出するための第３の流路と、測定部と、流路切替部とを備え、前記流路切替部は、前記第１の流路、前記第２の流路及び前記第３の流路の中から選択された少なくとも一つの流路を流れる液を前記測定部に導き、前記測定部は、選択された流路を流れる液の流量を測定することを特徴とする。
【発明の効果】
【００１０】
以上のように本発明における血液浄化装置においては、透析液回路、補液回路及び濾液回路毎に測定部を設ける必要がないため、各回路や装置の構成が複雑になるのを抑制でき、更に測定部毎の誤差を考慮しなくても良い。よって、本発明における血液浄化装置によれば、従来に比べて、計測誤差を抑制でき、しかも、構成の簡略化によりコストの低減化を図ることができる。
【発明を実施するための最良の形態】
【００１１】
本発明における血液浄化装置は、生体から取り出した血液の浄化を行う血液浄化装置であって、体外循環回路と、前記体外循環回路に設けられた血液浄化部と、前記血液浄化部に透析液を供給するための第１の流路と、前記体外循環回路に補液を供給するための第２の流路と、前記血液浄化部からの濾液を排出するための第３の流路と、測定部と、流路切替部とを備え、前記流路切替部は、前記第１の流路、前記第２の流路及び前記第３の流路の中から選択された少なくとも一つの流路を流れる液を前記測定部に導き、前記測定部は、選択された流路を流れる液の流量を測定することを特徴とする。
【００１２】
また、上記本発明における血液浄化装置は、時間計測部と、演算部とを更に備え、前記測定部が、前記選択された流路から導かれた液を貯留する容器を備え、前記時間計測部が、前記選択された流路から導かれた液が前記容器に一定量貯留されるまでの時間、または前記容器に貯留された液が一定量排出されるまでの時間を測定し、前記演算部が、前記容器に貯留された液の液量または前記容器から排出された液の液量を、前記時間計測部によって測定された時間で除算して、前記測定部に接続された流路を流れる液の流量を算出する態様とするのが好ましい。この態様によれば、簡単に、透析液、補液及び濾液の流量を得ることができる。
【００１３】
また、上記態様においては、前記流路切替部が、前記第１の流路、前記第２の流路及び前記第３の流路のうち一つの流路を順次選択する態様とすることもできる。更に、上記態様においては、前記流路切替部が、前記第１の流路と前記第２の流路とを同時に選択する態様とすることもできる。
【００１４】
更に、上記態様においては、前記第１の流路に設けられた透析液ポンプと、前記第２の流路に設けられた補液ポンプと、前記第３の流路に設けられた濾液ポンプと、制御部とを更に備え、前記制御部は、前記演算部が算出した流量に基づいて、前記選択された流路に設けられたポンプの吐出量を調整する態様とすることもできる。
【００１５】
（実施の形態）
以下、本発明の実施の形態における血液浄化装置について、図１を参照しながら説明する。図１は、本発明の実施の形態における血液浄化装置の概略構成を示す構成図である。
【００１６】
図１に示すように、本実施の形態における血液浄化装置は、生体から取り出した血液の浄化を行っている。血液浄化装置は、体外循環回路１と、血液浄化部２と、第１の流路３と、第２の流路４と、第３の流路５と、測定部２０と、流路切替部とを備えている。
【００１７】
体外循環回路１は、患者（図示せず）から脱血した血液を血液浄化部２へと送る脱血回路１ａと、血液浄化部２から出た血液を患者に返血する返血回路１ｂとで構成されている。血液浄化部２は、体外循環回路１に設けられており、血液脱血流路１ａと血液返血流路１ｂとに接続されている。
【００１８】
本実施の形態においては、血液浄化部２は、中空糸で透析膜が形成された中空糸型の血液浄化器で構成されている。なお、血液浄化部２は、中空糸型に限定されるものではなく、積層型、コイル型であっても良い。また、本実施の形態において、体外循環回路１には、気泡や血栓等の異物が生体に混入するのを防止するため、チャンバー２３が設けられている。チャンバー２３は、気泡や異物を除去するため、内部にメッシュを備えている。
【００１９】
第１の流路３は、血液浄化部２に透析液を供給するための透析液回路であり、透析液が充填された容器９の供給口と血液浄化部２の透析液導入口とを接続している。第２の流路４は、体外循環回路１に補液を供給するための補液回路であり、補液が充填された容器１０の供給口と体外循環回路１とを接続している。本実施の形態においては、第２の流路４は、体外循環回路１を構成するチャンバー２３の接続口（図示せず）に接続されている。第３の流路５は、血液浄化部２から排出された濾液を装置外部に排出するための濾液回路であり、血液浄化部２の濾液排出口に接続されている。
【００２０】
また、本実施の形態においては、図１に示すように、第１の流路３には透析液ポンプ６が設けられ、第２の流路４には補液ポンプ７が設けられ、第３の流路５には濾液ポンプ８が設けられている。更に、本実施の形態では、透析液ポンプ６、補液ポンプ７及び濾液ポンプ８として、ローラポンプが用いられている。なお、これらポンプの種類は特に限定されるものではなく、その他、フィンガーポンプ等を用いることもできる。
【００２１】
また、透析液ポンプ６、補液ポンプ７及び濾液ポンプ８それぞれには、初期流量が設定されている。更に、血液浄化治療の開始時においては、各ポンプの回転数は、それぞれに設定された初期流量での送液が行われるように設定されている。
【００２２】
流路切替部は、第１の流路３、第２の流路４及び第３の流路５の中から選択された少なくとも一つの流路を流れる液を後述の測定部２０へと導いている。本実施の形態においては、流路切替部は、バルブ１１、バルブ１２、及びバルブ１３によって構成されている。
【００２３】
バルブ１１は、第１の流路３から分岐した第１の分岐流路１７に設けられている。バルブ１２は、第２の流路４から分岐した第２の分岐流路１８に設けられている。バルブ１３は、第３の流路５から分岐した第３の分岐流路１９に設けられている。更に、第１の分岐流路１７、第２の分岐流路１８、及び第３の分岐流路１９は、測定部２０に接続されている。
【００２４】
よって、例えば、第１の流路３が選択された場合は、バルブ１１のみが開き、バルブ１２及びバルブ１３が閉じて、第１の流路３を流れる透析液のみが第１の分岐流路１７によって測定部２０に導かれる。同様に、第２の流路４が選択された場合は、バルブ１２のみが開き、バルブ１３及びバルブ１１が閉じて、第２の流路４を流れる補液のみが第２の分岐流路１８によって測定部２０に導かれる。また、第３の流路５が選択された場合は、バルブ１３のみが開き、バルブ１１及びバルブ１２が閉じて、第３の流路５を流れる濾液のみが第３の分岐流路１９によって測定部２０に導かれる。なお、流路の選択は、後述する制御部３２によって行われる。
【００２５】
測定部２０は、第１の流路３、第２の流路４及び第３の流路５の中から選択された流路から、第１の分岐流路１７、第２の分岐流路１８又は第３の分岐流路１９によって導かれた液の流量を測定する。本実施の形態においては、測定部２０は、選択された流路から導かれた液を貯留する容器２１と、液面レベルセンサ２３及び２４と、通気路２５と、通気路２５を開閉するバルブ２２とを備えている。
【００２６】
容器２１は、透析液が充填された容器９や、補液が充填された容器１０よりも低い位置に配置されている。これは、高低差を利用して、透析液や補液を容器２１に導くためである。更に、容器２１は、その下部で、第１の分岐流路１７、第２の分岐流路１８及び第３の分岐流路１９に接続されている。通気路２５は、容器２１の上部に設けられている。
【００２７】
液面レベルセンサ２３は、容器２１の上部に設定された液面を検知する。液面レベルセンサ２４は、容器２１の底部に設定された液面を検知する。液面レベルセンサ２３及び２４は、それぞれ設定された液面を検知すると、後述の時間計測部３３に検知信号を出力する。
【００２８】
また、図１に示すように、本実施の形態における血液浄化装置は、制御装置３０も備えている。制御装置３０は、更に、演算部３１と、制御部３２と、時間計測部３３とを備えている。
【００２９】
時間計測部３３は、容器２１に一定量の液が貯留するまでの時間、または容器２１に貯留された液が一定量排出されるまでの時間を測定する。本実施の形態では、時間計測部３３は、液面レベルセンサ２３及び２４に接続されている。時間計測部３３は、液面レベルセンサ２４が検知信号を出力してから液面レベルセンサ２３が検知信号を出力するまでの時間、又は液面レベルセンサ２３が検知信号を出力してから液面レベルセンサ２４が検知信号を出力するまでの時間を測定する。
【００３０】
例えば、第１の分岐流路１７、第２の分岐流路１８又は第３の分岐流路１９から容器２１に液が流れ込む場合において、時間計測部３３は、液面レベルセンサ２４が検知信号を出力してから、液面レベルセンサ２３が検知信号を出力するまでの時間を計測する。逆に、予め、容器２１に液が貯留されている場合においては、時間計測部３３は、液面レベルセンサ２３が検知信号を出力してから、液面レベルセンサ２４が検知信号を出力するまでの時間を測定する。
【００３１】
また、液面レベルセンサ２３が検知する液面と液面レベルセンサ２４が検知する液面との間に貯留される液の液量は予め測定されており、測定値は演算部３１に格納されている。つまり、液面レベルセンサ２４が液面を検知してから液面レベルセンサ２３が液面を検知するまでの間に容器２１に貯留される液の貯留量と、液面レベルセンサ２３が液面を検知してから液面レベルセンサ２４が液面を検知するまでの間に容器２１から流れ出る液の排出量は予め測定され、演算部３１に格納されている。
【００３２】
また、演算部３１は、選択された流路を流れる液の流量を算出している。具体的には、容器２１に液が流れ込む場合は、演算部３１は、液面レベルセンサ２４が液面を検知してから液面レベルセンサ２３が液面を検知するまでの間に容器２１に貯留した液の貯留量を、時間計測部３３によって測定された時間で除して、流量を算出する。一方、容器２１に液が貯留されている場合は、演算部３１は、液面レベルセンサ２３が液面を検知してから液面レベルセンサ２４が液面を検知するまでの間に容器２１から流れ出た液の排出量を、時間計測部３３によって測定された時間で除して、流量を算出する。
【００３３】
このように、本実施の形態では、演算部３１は、時間計測部３３が測定した時間に基づいて流量を算出する。このことから、本実施の形態においては、演算部３１は、時間計測部３３と共に、測定部２０の一部として機能している。
【００３４】
また、制御部３２は、流路切替部を構成するバルブ１１〜１３の開閉と、容器２１の上部の通気路２５に設けられたバルブ２５の開閉とを行っている。更に、本実施の形態では、図１に示すように、第１の流路３の分岐点の上流側、第２の流路４の分岐点の上流側、及び第３の流路５の分岐点の下流側それぞれにも、バルブ１４、バルブ１５及びバルブ１６が設けられている。制御部３２は、このバルブ１４〜バルブ１６の開閉も行っている。更に、制御部３２は、透析液ポンプ６、補液ポンプ７、及び濾液ポンプ８の運転、停止、回転数の調整も行っている。
【００３５】
ここで、本実施の形態における血液浄化装置で行われる流量測定について、以下に説明する。先ず、制御部３２は、血液浄化治療を開始するため、バルブ１４〜バルブ１６を開状態とし、バルブ１１〜バルブ１３を閉状態とする。
【００３６】
次に、流量測定が必要となると、制御部３２は、第１の流路３〜第３の流路５のうちの少なくとも一つの流路を選択する。具体的には、制御部３２は、バルブ１１〜バルブ１３のうち、選択された流路の分岐流路に設けられたバルブを開状態とし、選択されていない二つの流路の各分岐流路に設けられた各バルブを閉状態のままとする。なお、流路の選択は、予め操作者によって制御装置３０に入力された内容に応じて行われる。また、本実施の形態においては、流路の選択（バルブ１１〜バルブ１３の開閉）は、操作者が手動によって行うこともできる。
【００３７】
例えば、第３の流路５が選択された場合は、制御部３２は、第３の流路５の分岐流路に設けられたバルブ１３を開状態とし、バルブ１１及びバルブ１２を閉状態のままとする。また、このとき、制御部３２は、バルブ２５を開状態とし、バルブ１６を閉状態とする。これにより、選択された第３の流路５から、その分岐流路１９を介して、容器２１の内部に濾液が導かれる。
【００３８】
次に、第３の流路５から容器２１の内部に濾液が導かれ、液面レベルセンサ２４が検知する液面に達すると、液面レベルセンサ２４が検知信号を出力し、時間計測部３３が時間の計測を開始する。更に、容器２１の内部の液面レベルが上昇し、液面レベルセンサ２３が検知信号を出力すると、時間計測部３３は時間の計測を終了し、測定した時間を演算部３１に通知する。
【００３９】
次に、演算部３１は、予め測定されている貯留量を、時間計測部３３が測定した時間で除算する。これにより、選択された第３の流路５を流れる濾液の流量が求められる。なお、図示していないが、演算部３１は算出した流量を表示装置に表示することもできる。
【００４０】
次に、演算部３１は、流量の算出が終了したことを制御部３２に通知する。演算部３１からの通知を受けると、制御部３２は、第３の流路５の分岐点の下流側のバルブ１６を開状態にする。これにより、容器２１に貯留された濾液は、分岐流路１９を介して、第３の流路５へと逆流する。なお、制御部３２によるこのバルブ操作は、液面レベルセンサ２３による検知信号の出力と同時に行うこともできる。
【００４１】
その後、制御部３２は、バルブ１３を閉状態とする。また、本実施の形態においては、演算部３１は、第３の流路５に設けられた濾液ポンプ８の初期流量と算出した濾液の流量との差を算出することができ、制御部３２が、算出された差に応じて、濾液ポンプ８の回転数（吐出量）を調整することもできる。この場合は、血液浄化装置の自動運転が可能となる。
【００４２】
また、例えば、第１の流路３（又は第２の流路４）が選択された場合は、制御部３２は、第１の流路３（又は第２の流路４）の分岐流路に設けられたバルブ１１（又はバルブ１２）とバルブ２５とを開状態とし、バルブ１２及びバルブ１３（又はバルブ１１及びバルブ１３）を閉状態のままとする。これにより、第１の流路３（又は第２の流路４）から、その分岐流路１７（又は分岐流路１８）を介して、容器２１の内部に透析液（又は補液）が導かれる。
【００４３】
次に、制御部３２は、容器２１の液面が上昇し、容器２１の上部に設けられた液面レベルセンサ２３が検知信号を出力すると、第１の流路３（又は第２の流路４）の分岐点の上流側のバルブ１４（又はバルブ１５）を閉状態にする。その状態で、透析液ポンプ６（又は補液ポンプ７）が駆動されると、容器２１に貯留された透析液（又は補液）は、分岐流路１７（又は分岐流路１８）を介して、第１の流路３（又は第２の流路４）へと逆流する。
【００４４】
また、液面レベルセンサ２３が検知信号を出力すると同時に、時間計測部３３は、時間の計測を開始する。更に、透析液（又は補液）の逆流により、容器２１の液面レベルが低下し、液面レベルセンサ２４が検知信号を出力すると、時間計測部３３は時間の計測を終了し、測定した時間を演算部３１に通知する。
【００４５】
なお、容器２１への透析液（又は補液）の導入により、容器２１の液面が、液面レベルセンサ２３が検知する液面を越えてしまった場合は、時間計測部３３は、透析液（又は補液）の逆流によって液面レベルセンサ２３が再度検知信号を出力したときから、時間の計測を開始することができる。
【００４６】
次に、演算部３１は、予め測定されている排出量を、時間計測部３３が測定した時間で除算する。これにより、選択された第１の流路３（又は第２の流路４）を流れる透析液（又は補液）の流量が求められる。なお、この場合も、演算部３１は算出した流量を表示装置に表示することもできる。
【００４７】
次に、演算部３１は、流量の算出が終了したことを制御部３２に通知する。演算部３１の通知を受けると、制御部３２は、第１の流路３（又は第２の流路４）の分岐流路１７（又は分岐流路１８）に設けられたバルブ１１（又はバルブ１２）を閉状態にする。また、制御部３２は、第１の流路３（又は第２の流路４）の分岐点の上流側のバルブ１４（又はバルブ１５）を開状態にする。なお、制御部３２によるこのバルブ操作は、液面レベルセンサ２４による検知信号の出力と同時に行うこともできる。
【００４８】
更に、上述の第３の流路５が選択された場合と同様に、第１の流路３（又は第２の流路４）が選択された場合も、演算部３１は、第１の流路３（又は第２の流路４）に設けられた透析液ポンプ６（又は補液ポンプ７）の初期流量と算出した透析液（又は補液）の流量との差を算出することができる。更に、制御部３２は、算出された差に応じて、透析液ポンプ６（又は補液ポンプ７）の回転数（吐出量）を調整することもできる。この場合も、血液浄化装置の自動運転が可能となる。
【００４９】
以上のように、本実施の形態においては、透析液回路（第１の流路３）、補液回路（第２の流路４）及び濾液回路（第３の流路５）のそれぞれに測定部２０を設けることなく、各回路の流量を測定できる。よって、従来に比べて、各回路や装置の構成が複雑になるのを抑制でき、更に、測定部毎の誤差を考慮しなくても良い。このため、本実施の形態における血液浄化装置によれば、従来に比べて、計測誤差を抑制でき、しかも、構成の簡略化によりコストの低減化を図ることができる。
【００５０】
また、上述の例では、第１の流路３、第２の流路４、及び第３の流路５のうちの一つの流路が順次選択されているが、本実施の形態はこの例に限定されるものではない。例えば、本実施の形態は、第１の流路３と第２の流路４とが同時に選択される態様であっても良い。この態様について、以下に説明する。
【００５１】
上記態様においては、演算部３１は、第１の流路３を流れる透析液の流量と、第２の流路４を流れる補液の流量との合計流量を算出する。また、演算部３１は、第３の流路５を流れる濾液については、それ単独の流量を算出する。
【００５２】
更に、演算部３１は、透析液及び補液の合計流量と濾液の流量とを比較し、例えば、合計流量と濾液の流量とが一致するように、制御部３２に、透析液ポンプ６、補液ポンプ７及び濾液ポンプ８の回転数を調整させることができる。この場合は、除水や患者への注液を行うことなく、溶質拡散のみで透析を行うことができる。また、患者の体内に注液した量だけ除水することで、体重変化無しに老廃物を除去することも可能となる。
【００５３】
また、操作者が患者の体液の増加（注液）を指示している場合は、演算部３１は、透析液及び補液の合計流量が濾液の流量よりも大きくなるように、制御部３２に、透析液ポンプ６、補液ポンプ７及び濾液ポンプ８の回転数を調整させる。更に、操作者が患者に対して除水を行うことを指示している場合は、演算部３１は、透析液及び補液の合計流量が濾液の流量よりも小さくなるように、制御部３２に、透析液ポンプ６、補液ポンプ７及び濾液ポンプ８の回転数を調整させる。
【００５４】
このように、上記態様によれば、正確に測定された流量に基づいて、患者の体液の一定量の保持、患者への注液、更には除水を行うことができる。よって、血液浄化療法の実施時における患者の安全性の確保の向上を図ることができる。
【産業上の利用可能性】
【００５５】
本発明は、血液浄化装置の回路や装置構成を単純化でき、計測誤差の抑制やコストの低減に貢献できる。よって、本発明の血液浄化装置は、産業上の利用可能性を有するものである。
【図面の簡単な説明】
【００５６】
【図１】図１は、本発明の実施の形態における血液浄化装置の概略構成を示す構成図である。
【符号の説明】
【００５７】
１  体外循環回路
１ａ  脱血回路
１ｂ  返血回路
２  血液浄化部（ダイアライザ）
３  第１の流路（透析液回路）
４  第２の流路（補液回路）
５  第３の流路（濾液回路）
６  透析液ポンプ
７  補液ポンプ
８  濾液ポンプ
９  透析液用容器
１０  補液用容器
１１、１２、１３  バルブ（流路切替部）
１４、１５、１６、２２  バルブ
１７  第１の分岐流路
１８  第２の分岐流路
１９  第３の分岐流路
２０  測定部
２１  容器
２３、２４  液面レベルセンサ
３０  制御装置
３１  演算部
３２  制御部
３３  時間計測部
【図１】
0004427753.tif 000002